(57)【要約】【課題】  メガネを掛けることで血流を良くすると共に、体温を上昇させて目の疲れ防止を図り、脳溢血や脳梗塞を抑制することが出来る育成光線放射機能を備えたメガネ提供。【解決手段】  メガネフレームのフロント部１に取付けられる鼻当てパット８，８及びツル先端部に挿着されるモダン９，９には、波長が６〜１４μｍの微弱な電磁波を発生する磁鉄鉱粉末を０．５〜０．８％の割合で含有している。【選択図】    図１
2006106175.tif 000002
【特許請求の範囲】
【請求項１】
メガネフレームのフロント部に取付けられる鼻当てパット及びツル先端部に挿着されるモダンには、波長が６〜１４μｍの微弱な電磁波を発生する磁鉄鉱粉末を０．５〜０．８％の割合で含有したことを特徴とする育成光線放射機能を備えたメガネ。
【請求項２】
メガネフレームの樹脂製ツルには、波長が６〜１４μｍの微弱な電磁波を発生する磁鉄鉱粉末を０．５〜０．８％の割合で含有したことを特徴とする育成光線放射機能を備えたメガネ。
【請求項３】
メガネフレームの樹脂製フロント部に一体成形される鼻当てパット部には、波長が６〜１４μｍの微弱な電磁波を発生する磁鉄鉱粉末を０．５〜０．８％の割合で含有したことを特徴とする育成光線放射機能を備えたメガネ。                                                                        
【発明の詳細な説明】
【技術分野】
【０００１】
本発明は育成光線を放射して血流を向上させ、体温の上昇をもたらすメガネに関するものである。
【背景技術】
【０００２】
一口にメガネと言っても、その種類は多種多様化しており、近眼用メガネ、老眼用メガネ、サングラス、又金属製メガネ、樹脂製メガネなどがあり、そして装飾部品の一つでもあるメガネのデザインは無数にある。近年ではチタンなどの軽くてバネ性に優れた材質が多用されてスリムなメガネが主流を成し、長時間掛けていても疲れ難く、痛みなどの苦痛を伴わないように工夫されている。
【０００３】
又、近年では、メガネが単に掛け易く疲れ難いといった消極的な効果を狙うだけでなく、目の疲れを防止し、血行を増進して健康の向上を促すといった、積極的な効果を目的としたメガネもよく知られている。その代表的なものはセラミック粉末を混合することで遠赤外線を放射することが出来るように構成しているメガネである。
【０００４】
遠赤外線はセラミックなどから放射され、人の身体を組み立てている原子相互の振動とピッタリ合うので、原子の動きを活発にして温度を上げることが出来る。まさに、原子相互の振動と共振することが出来る。遠赤外線以外では、波長が合わない為に身体に直接作用することはない。
【０００５】
実用新案登録第３００９６７８号に係る「遠赤外線放射機能を持つ眼鏡」は、眼の疲労軽減等の健康増進効果を有す眼鏡であり、眼鏡枠、鼻当て、眼鏡あし、及び眼鏡あし保護チップで構成した通常の眼鏡において、構成部材中、眼鏡枠、鼻当て、及び眼鏡あし保護チップの内の一つ以上の合成樹脂製部材に、遠赤外線放射セラミック粉末を含有させ、前記鼻当て及び眼鏡あし保護チップの内の一以上の部材に、セラミック粉末の凝集体からなるセラミックボールを埋設している。
【０００６】
実用新案登録第３０５２１８７号に係る「遠赤外線放射眼鏡部品」は、遠赤外線放射による温熱効果などを効率良く享受することの出来る合成樹脂製の眼鏡部品であり、鼻当てパット、モダンなどの合成樹脂製の眼鏡部品成形体の中に線赤外線を放射可能な天然鉱石の粉末を練り込んでいる。
【０００７】
これらの他にも遠赤外線を放射させることで、眼の疲れを防止し、血行の増進を図るようにしたメガネは数多く知られている。しかし、一般にはセラミックの粉末をメガネフレームに練り込んでいるが、体温では該セラミックの温度がそれ程高くならない為に期待する程の遠赤外線を放射することは出来ない。
【特許文献１】実用新案登録第３００９６７８号に係る「遠赤外線放射機能を持つ眼鏡」
【特許文献２】実用新案登録第３０５２１８７号に係る「遠赤外線放射眼鏡部品」
【発明の開示】
【発明が解決しようとする課題】
【０００８】
このように、遠赤外線放射メガネには上記のごとき問題がある。本発明が解決しようとする課題はこの問題点であり、血行をより良くして体温の上昇をもたらすことが出来る育成光線を放射するメガネを提供する。
【課題を解決するための手段】
【０００９】
本発明に係るメガネは育成光線を放射することが出来るように構成している。遠赤外線とは４〜１０００μｍの波長を持つ光であり、その中でも近・中赤外線に近い波長領域の遠赤外線は育成光線と呼ばれ、健康増進に一番効果的に作用する。育成光線とは微弱電磁波であって遠赤外線の一種であるが、従来から用いられている遠赤外線とは周波数を異にし、波長が約６〜１４μｍの範囲にある。
【００１０】
育成光線の放射は太陽光に限定されるものではないがセラミックからの放射は殆どなく、その為に磁鉄鉱粉末を使用し、これを樹脂製メガネ部品に混合することで育成光線を放射することが出来る。対象となるメガネ部品はメガネを掛けた際に肌に接するものが好ましい為に、フロント部を支える鼻当てパット及び耳に係止するモダンである。
【００１１】
これら鼻当てパット及びモダンは樹脂製であり、上記磁鉄鉱粉末を０．５〜０．８％の割合で混合している。すなわち、成形前のペレットの状態で磁鉄鉱粉末を混合し、これを溶融して射出成形される。勿論、樹脂製メガネフレームの場合であるならば、フレーム全体に磁鉄鉱粉末を混在させることも可能である。一方、磁鉄鉱粉末を凝縮したボールを鼻当てパットやモダンに埋着することも可能である。
【発明の効果】
【００１２】
本発明に係るメガネは、磁鉄鉱粉末を鼻当てパット及びツル先端に挿着されるモダンに混在している。従って、該メガネを掛けるならば、鼻当てパットは鼻の両脇に接し、モダンは耳に係止することで、育成光線を接触する肌に放射することが出来る。この際、遠赤外線を放射するセラミックのように温度は影響されず、微弱電磁波である育成光線を放射する。この育成光線は遠赤外線に比較して血流促進効果が大きく、体温を上昇させる効果も優れている。従って、目の疲れを防止すると共に、脳内の血流が良くなることで、脳梗塞や脳溢血を抑制することが出来る。
【実施例】
【００１３】
図１は本発明に係る金属製のメガネを示している実施例である。同図の１はフロント部、２はツルを表し、フロント部１はレンズ３，３が嵌るリム４，４が連結部材５にて左右対称に連結され、リム３，３の外側にロウ付けされたヨロイ６，６には上記ツル２，２が蝶番７，７を介して折畳み出来るように取付けられている。
【００１４】
そして、フロント部中央であって、連結部材５の下方には鼻当てパット８，８が取付けられ、又ツル２の先端部にはモダン９が挿着されている。鼻当てパット８及びモダン９は樹脂製であり、内部には磁鉄鉱粉末が混在している。この磁鉄鉱粉末からは微弱な電磁波である育成光線が放射率９０％程度放射される為に、該メガネを着用することで微弱電磁波が肌に当たり、疲労を回復して健康増進をもたらす。
【００１５】
ここで、鼻当てパット８の具体的な形態は特に限定しないが、フロント部１から延びる脚先端に取付けられ、フロント部１を支える為に鼻の両脇に当接することが出来る。図２には鼻当てパット８の具体例を示しているように、概略楕円形を成し、表面１０は滑らかな凸状曲面と成っていて、そして裏側には止金具１１が突出している。
【００１６】
該止金具１１は脚先端にロウ付けされている箱に、ある程度のアガキをもって遊嵌され、穴１２にネジが挿通して取付けられる。該鼻当てパット８は止金具１１を金型にセットした状態で溶融樹脂を流し込んで成形される。この際、溶融樹脂には上記磁鉄鉱粉末が混合されるが、その割合は、０．５〜０．８％が好ましい。
【００１７】
鼻当てパット８によっては、上記止金具１１を特別に埋着することなく、止具を一体成形した簡易型鼻当てパットも知られている。このような鼻当てパット８の場合も、上記割合で磁鉄鉱粉末が混入され、該鼻当てパット８からは微弱電磁波である育成光線が放射され、特に鼻両脇部分を中心とした目の付近の血流が良くなる。
【００１８】
図３はツル先端部に挿着されるモダン９を示している。該モダン９は概略「へ」字状を成し、中心軸にはツル先端部が圧入する芯穴１３が設けられているが、該モダン９も金型に溶融樹脂を流し込んで成形される。同図では概略「へ」字状に湾曲しているが、成形時にはストレートであり、ツル先端部を圧入した状態で耳に係止するように適当な位置で曲げられる。
【００１９】
そして、溶融樹脂には鼻当てパット８の場合と同じく、磁鉄鉱粉末が０．５〜０．８％の割合で混入されている。従って、該モダン９からも育成光線が放射され、耳元を中心とした周囲の血行が向上し、ひいては脳内血流を促すことが出来る。その結果、脳梗塞や脳溢血の抑制に繋がる。
【００２０】
ところで、モダン９は金型に溶融樹脂が流れ込んで成形されるが、硬化する前に外から芯金を圧入して芯穴１３が明けられる。勿論、該芯穴１３は必ずしもモダン成形と同時にする必要はなく、後加工としてドリル切削する場合もある。又は高温に加熱した芯金を圧入して芯穴１３を成形することも可能であり、本発明ではモダンの加工方法は限定しない。
【００２１】
一方、前記図１は金属製のメガネフレームであるが、樹脂製メガネフレームも対象となる。樹脂製メガネフレームではフロント部に鼻当てパッド部が一体成形される。従って、磁鉄鉱粉末を混合してフロント部１が成形される。また、樹脂製ツルの場合にモダンは必要でなく、磁鉄鉱粉末を混合してツルを成形することが出来る。
【図面の簡単な説明】
【００２２】
【図１】金属製メガネ。
【図２】鼻当てパットの具体例。
【図３】モダンの具体例。
【符号の説明】
【００２３】
１  フロント部
２  ツル
３  レンズ
４  リム
５  連結部材
６  ヨロイ
７  蝶番
８  鼻当てパット
９  モダン
10  表面
11  止金具
12  穴
13  芯穴
【図１】
2006106175.tif 000003
【図２】
2006106175.tif 000004
【図３】
2006106175.tif 000005